(57)【特許請求の範囲】
【請求項１】
それぞれ固有の物理アドレス（１０１ａ）を有する複数の空調機器（５０）を論理アドレス（１０５ａ）を用いて管理する空調管理システム（１００）であって、
前記各空調機器から運転情報（１３ｂ）を収集するローカルコントローラ（１０ａ、１０ｂ、・・・）と、
前記各空調機器の近傍に配備された前記各空調機器の操作手段（４３）と、
を備え、
前記ローカルコントローラは、前記各空調機器の識別情報（１３ａ）を記憶する記憶部（１３）と、前記運転情報を収集する情報収集部（１２ａ）と、前記運転情報を前記論理アドレスと対応付ける対応付部（１２ｃ）とを有し、
前記各空調機器の識別情報（１３ａ）は、前記物理アドレスを格納する物理アドレス部（１０１）と、前記操作手段から設定される実アドレス（１０３ａ）を格納する実アドレス部（１０３）と、前記操作手段を介さずに任意に設定可能な仮アドレス（１０４ａ）を格納する仮アドレス部（１０４）とを有し、
前記対応付部は、前記実アドレスが設定されている場合は、前記実アドレスを、前記実アドレスが設定されていない場合は、前記仮アドレスを、前記論理アドレスとして用い、
前記複数の空調機器は、互いに前記物理アドレスを用いて通信する室外機（５１）と室内機（５２）とを含む、
空調管理システム（１００）。
【請求項２】
前記ローカルコントローラと通信ネットワーク（４）を介して接続され、前記複数の空調機器を遠隔から管理する遠隔コントローラ（２０）、
を更に備え、
前記遠隔コントローラは、前記ローカルコントローラから前記運転情報を受信する情報受信部（２２ｂ）と、前記論理アドレスを用いて前記各空調機器を管理する遠隔管理部（２２ａ）とを有する、
請求項１に記載の空調管理システム（１００）。
【請求項３】
前記各空調機器は、通信基板（５１ｐ、５２ｐ）を有し、
前記物理アドレスは、前記通信基板の識別情報（１０２ａ）に基づいて決まる、
請求項１又は２に記載の空調管理システム（１００）。
【請求項４】
前記実アドレス及び前記仮アドレスは、同じ形態の情報である、
請求項１〜３のいずれかに記載の空調管理システム（１００）。
【請求項５】
前記実アドレスは、所定の初期値を有し、
前記対応付部は、前記実アドレスが前記初期値である場合は、前記仮アドレスを前記論理アドレスとして用いる、
請求項１〜４のいずれかに記載の空調管理システム（１００）。
【請求項６】
前記ローカルコントローラは、前記通信基板が交換されると前記物理アドレスのみを更新するアドレス更新部（１２ｆ）を更に有する、
請求項１〜５のいずれかに記載の空調管理システム（１００）。
【請求項７】
前記ローカルコントローラは、前記仮アドレスの設定を受け付ける第１仮アドレス設定受付部（１２ｇ）を更に有する、
請求項１〜６のいずれかに記載の空調管理システム（１００）。
【請求項８】
前記仮アドレスの設定を受け付ける第２仮アドレス設定受付部（３２ａ）を有する仮アドレス設定装置（３０）、
を更に備える、
請求項１〜７のいずれかに記載の空調管理システム（１００）。
【請求項９】
前記仮アドレス設定装置は、前記物理アドレスに基づいて前記仮アドレスを設定する仮アドレス設定部（３２ｂ）を更に有する、
請求項８に記載の空調管理システム（１００）。
【発明の詳細な説明】
【技術分野】
【０００１】
本発明は、空調管理システムに関する。
【背景技術】
【０００２】
従来より、複数の室内機が１つの室外機に接続された空調システムにおいて、各室内機をそのシリアル番号等の固有の情報を用いて識別することにより各室内機を特定し、制御することが行われている。例えば、特許文献１（特開２０００−７４４６１号公報）には、各室内機のＥＥＰＲＯＭに記憶されている室内機の製造時に付与される固有のシリアル番号の順に連番をアドレスとして複数の室内機それぞれに設定する技術が提案されている。なお、ＥＥＰＲＯＭは、室内機等の空調機器が備えるプリント基板に含まれている部品である。
【０００３】
また、特許文献１には、１つのリモコンにより複数の室内機を操作する空調システムにおいて、各室内機を識別するためにリモコンから各室内機にアドレスを設定することも記載されている。
【発明の概要】
【発明が解決しようとする課題】
【０００４】
ところで、オフィスビルのように多数の空調機器が設置されている物件においては、複数の空調機器を集中管理するサービスが提供されているところ、このようなサービスを導入するにあたっても複数の空調機器それぞれを識別する手段が必要である。
【０００５】
特許文献１に記載の技術では、プリント基板が故障等により交換されると、そのシリアル番号が変わり、これにより複数の空調機器のシリアル番号の順番も変わる。それに従い、各空調機器に設定されるアドレスも変わる。また、新たに室内機が追加された場合も、複数の室内機のシリアル番号の順番が変わり、それに従い、各室内機に設定されるアドレスが変わる。また、そもそもシリアル番号は、プリント基板等の外観からは確認できず、シリアル番号に基いて自動設定されたアドレスも把握しづらい。こうなると、アドレスと各室内機との対応関係の把握が難しく、管理の手間とコストが増大する。
【０００６】
一方、リモコン等の操作手段を用いて人手により各空調機器にアドレスを設定する方法は、実機を目視確認しながらアドレスを設定できるという点で、より好ましい。しかし、何らかの事情により空調機器が設置されている場所に立ち入れない場合は、アドレスを設定することができないというデメリットがある。例えば、金庫室や、重役室には立ち入れないことがしばしばある。アドレス設定のために出張訪問したサービスマンは、立ち入れなかった設置場所の空調機器にアドレスを設定するために再度出張訪問しなければならず、システムの導入作業の手間とコストが増大する。
【０００７】
そこで、本発明の課題は、導入作業の手間とコストを軽減可能な空調管理システムを提供することである。
【課題を解決するための手段】
【０００８】
本発明の第１観点に係る空調管理システムは、それぞれ固有の物理アドレスを有する複数の空調機器を論理アドレスを用いて管理する空調管理システムであり、各空調機器の運転情報を収集するローカルコントローラと、各空調機器の近傍に配備された各空調機器の操作手段とを備える。ローカルコントローラは、記憶部と、情報収集部と、対応付部とを有する。記憶部は、各空調機器の識別情報を記憶する。情報収集部は、各空調機器の運転情報を収集する。対応付部は、運転情報を論理アドレスと対応付ける。各空調機器の識別情報は、物理アドレスを格納する物理アドレス部、実アドレスを格納する実アドレス部、及び仮アドレスを格納する仮アドレス部を有する。実アドレスは、操作手段から設定される。仮アドレスは、操作手段を介さずに任意に設定可能である。対応付部は、実アドレスが設定されている場合は、実アドレスを、実アドレスが設定されていない場合は、仮アドレスを、論理アドレスとして用いる。複数の空調機器は、互いに物理アドレスを用いて通信する室外機と室内機とを含む。
【０００９】
即ち、本発明に係る空調管理システムは、物理アドレスとは別に、論理アドレスを用いて各空調機器を管理する。そして、リモコン等の操作手段を介して設定される実アドレスが論理アドレスとして用いられ、実アドレスが設定されていない場合は、リモコン等の操作手段を介さずに任意に設定可能な仮アドレスが論理アドレスとして用いられる。これにより、諸事情により導入作業時に空調機器設置場所に立ち入れず、リモコン等の操作手段により実アドレスを設定することができなかった場合でも、仮アドレスを用いることにより各空調機器を管理できる。したがって、サービスマンの再出張等、導入作業の手間とコストが軽減される。
【００１０】
本発明の第２観点に係る空調管理システムは、第１観点に係る空調管理システムであって、遠隔コントローラを更に備える。遠隔コントローラは、ローカルコントローラと通信ネットワークを介して接続されている。遠隔コントローラは、情報受信部と、遠隔管理部とを有する。情報受信部は、運転情報をローカルコントローラから受信する。遠隔管理部は、論理アドレスを用いて各空調機器を管理する。
【００１１】
これにより、空調機器設置場所に立ち入れず、実アドレスを設定することができなくても空調機器の遠隔管理が可能である。
【００１２】
本発明の第３観点に係る空調管理システムは、第１観点又は第２観点に係る空調管理システムであって、各空調機器は、通信基板を有する。物理アドレスは、通信基板の識別情報に基づいて決まる。
【００１３】
ここでは、物理アドレスは、通信基板の識別情報に基づいて自動的に決まるから、室外機と室内機との間での通信に用いられる物理アドレスについては、その設定作業が不要である。
【００１４】
本発明の第４観点に係る空調管理システムは、第１観点から第３観点のいずれかに係る空調管理システムであって、実アドレス及び仮アドレスは、同じ形態の情報である。
【００１５】
これにより、実アドレス及び仮アドレスのどちらを論理アドレスとして用いるかによって、プログラムを変更する必要がない。
【００１６】
本発明の第５観点に係る空調管理システムは、第１観点から第４観点のいずれかに係る空調管理システムであって、実アドレスは、所定の初期値を有する。対応付部は、実アドレスが初期値である場合は、仮アドレスを論理アドレスとして用いる。
【００１７】
これにより、実アドレスの設定／未設定が容易に識別可能となる。
【００１８】
本発明の第６観点に係る空調管理システムは、第１観点から第５観点のいずれかに係る空調管理システムであって、ローカルコントローラは、アドレス更新部を更に有する。アドレス更新部は、通信基板が交換されると物理アドレスのみを更新する。
【００１９】
通信基板が交換されると物理アドレスのみ自動更新される。これにより、管理の手間とコストとが軽減される。
【００２０】
本発明の第７観点に係る空調管理システムは、第１観点から第６観点のいずれかに係る空調管理システムであって、ローカルコントローラは、仮アドレスの設定を受け付ける第１仮アドレス設定受付部を更に有する。
【００２１】
これにより、空調機器の設置場所に立ち入ることができなくても、ローカルコントローラから仮アドレスを設定できる。したがって、サービスマンの再出張等の無駄なコストが軽減される。
【００２２】
本発明の第８観点に係る空調管理システムは、第１観点から第７観点のいずれかに係る空調管理システムであって、仮アドレス設定装置を更に備える。仮アドレス設定装置は、仮アドレス設定受付部を有する。
【００２３】
これにより、空調機器の設置場所に立ち入ることができなくても、現場にて、又は、インターネット経由で遠隔にて、仮アドレス設定装置から仮アドレスを設定可能である。したがって、サービスマンの再出張等の無駄なコストが軽減される。
【００２４】
本発明の第９観点に係る空調管理システムは、第８観点に係る空調管理システムであって、仮アドレス設定装置は、仮アドレス設定部を更に有する。仮アドレス設定部は、物理アドレスに基づいて仮アドレスを設定する。
【００２５】
これにより、実アドレスが設定されていない空調機器について物理アドレスに基づいて仮アドレスを設定することが可能となり、仮アドレス設定の手間を軽減することができる。
【発明の効果】
【００２６】
本発明の第１観点に係る空調管理システムでは、導入作業の手間とコストが軽減される。
【００２７】
本発明の第２観点に係る空調管理システムでは、空調機器設置場所に立ち入れず、実アドレスを振ることができなくても空調機器の遠隔管理が可能である。
【００２８】
本発明の第３観点に係る空調管理システムでは、室外機と室内機との間での通信に用いられる物理アドレスについては、その設定作業が不要である。
【００２９】
本発明の第４観点に係る空調管理システムでは、実アドレス及び仮アドレスのどちらを論理アドレスとして用いるかによって、プログラムを変更する必要がない。
【００３０】
本発明の第５観点に係る空調管理システムでは、実アドレスの設定／未設定が容易に識別可能となる。
【００３１】
本発明の第６観点に係る空調管理システムでは、管理の手間とコストとが軽減される。
【００３２】
本発明の第７観点又は第８観点に係る空調管理システムでは、無駄なコストが軽減される。
【００３３】
本発明の第９観点に係る空調管理システムでは、仮アドレス設定の手間を軽減することができる。
【図面の簡単な説明】
【００３４】
【図１】空調管理システムの全体構成図。
【図２】物件におけるシステム構成図。
【図３】室外機及び室内機の構成を示すブロック図。
【図４】ローカルコントローラの構成を示すブロック図。
【図５】識別情報を例示する図。
【図６】遠隔コントローラの構成を示すブロック図。
【図７】試運転作業用端末の構成を示すブロック図。
【図８】試運転作業のフローチャート。
【図９】アドレスチェック／設定作業のフローチャート。
【図１０】試運転ツールの画面の例１。
【図１１】試運転ツールの画面の例２。
【図１２】試運転ツールの画面の例３。
【図１３】試運転作業における識別情報の変遷を例示する図。
【図１４】プリント基板交換、室内機削除の後の作業のフローチャート。
【図１５】プリント基板交換における識別情報の変遷を例示する図。
【図１６】室内機追加における識別情報の変遷を例示する図。
【図１７】室内機削除における識別情報の変遷を例示する図。
【発明を実施するための形態】
【００３５】
以下、図を参照しながら本発明に係る空調管理システムの一実施形態について説明する。
【００３６】
（１）全体構成
（１−１）システムの構成
図１は、空調管理システム１００の全体構成を示した図である。
【００３７】
空調管理システム１００は、複数の物件１ａ，１ｂ，・・・内にそれぞれ設置されている複数の空調機器５０を管理するためのシステムである。物件１ａ，１ｂ，・・・は、さまざまな地域に存在している。各物件内には、主に、空調システム４０ａ、４０ｂ、・・・とローカルコントローラ１０ａ、１０ｂ、・・・とが設置されている。物件１ａ，１ｂ，・・・の遠隔に存在する遠隔管理センター２には遠隔コントローラ２０が配置されている。ローカルコントローラ１０ａ、１０ｂ、・・・は、それぞれが配置されている物件１ａ，１ｂ，・・・内の空調システム４０ａ、４０ｂ、・・・を管理している。空調システム４０ａ、４０ｂ、・・・は、複数の空調機器５０から構成されている（図２参照）。遠隔コントローラ２０は、ローカルコントローラ１０ａ、１０ｂ、・・・にインターネット等の通信ネットワーク４を介して接続されている。
【００３８】
次に物件１ａ，１ｂ，・・・における構成について説明する。図２は、物件１ａにおける構成を更に詳細に示した図である。その他の物件１ｂ，・・・についても物件１ａと同様の構成となっている。
【００３９】
図２に示されているように物件１ａには、複数の空調機器５０と、当該複数の空調機器５０に空調機器専用通信線６により接続されたローカルコントローラ１０ａとが設置されている。複数の空調機器５０には、複数の室外機５１ａ、５１ｂ、５１ｃ（以下、室外機５１とする）と、当該各室外機５１に空調機器専用通信線６により接続された複数の室内機５２ａ、５２ｂ、５２ｃ、５２ｄ、５２ｅ、５２ｆ、５２ｇ、５２ｈ、５２ｉ（以下、室内機５２とする）とが含まれている。図２の例では、ローカルコントローラ１０ａは、空調機器専用通信線６により各室外機５１と接続されている。なお、図２においてローカルコントローラ１０ａにＬＡＮ等の通信ネットワーク５により接続されている試運転作業用端末３０は、空調管理システム１００のうち物件１ａにおける部分の試運転作業時にサービスマンが持ち込んで使用するものであり、常設されていない。よって、図１には表していない。
【００４０】
（１−２）管理の概要
空調管理システム１００では、空調機器５０の制御には物理アドレス１０１ａが用いられ、空調機器５０の管理には、物理アドレス１０１ａとは別に論理アドレス１０５ａが用いられる。後述する実アドレス１０３ａ又は仮アドレス１０４ａを各空調機器５０に設定することができ、これらのアドレスのいずれかが論理アドレス１０５ａとして用いられる。
【００４１】
圧縮機及びファン、等の制御のために行われる室外機５１と室内機５２との間での通信は、物理アドレス１０１ａが用いられる。即ち、室外機５１と室内機５２とは互いに通信しながら制御されるところ、室外機５１及び室内機５２の制御は、物理アドレス１０１ａを用いて行われる。即ち、室外機５１は、自己に接続されている複数の室内機５２をそれぞれの物理アドレス１０１ａにより識別する。物理アドレス１０１ａは、各空調機器５０が有するプリント基板５１ｐ、５２ｐ（図３参照）のシリアル番号１０２ａに基づいて各空調機器５０に付与されるアドレスであり、プリント基板５１ｐ、５２ｐのシリアル番号１０２ａよりも小さいデータとなっている。各空調機器５０同士を接続する空調機器専用通信線６の帯域は非常に小さく、プリント基板５１ｐ、５２ｐのシリアル番号１０２ａを用いるよりも物理アドレス１０１ａを用いたほうが通信速度は速い。
【００４２】
一方、空調機器５０の運転情報の蓄積や運転情報の解析による異常の検知等の各空調機器５０の管理においては、論理アドレス１０５ａを用いて各空調機器５０が識別される。これは、後述するようにプリント基板５１ｐ、５２ｐが故障等で交換されると各空調機器５０の物理アドレス１０１ａは、自動的に新たなプリント基板５１ｐ、５２ｐのシリアル番号１０２ａ順に基づいたアドレスに変更されるからである。このように物理アドレス１０１ａが自動設定され、プリント基板５１ｐ、５２ｐを交換していない空調機器５０についても物理アドレス１０１ａとの対応関係が変更される可能性がある。したがって、物理アドレス１０１ａにより空調機器５０を管理すると、対応関係を絶えず追跡しなければならず、管理の手間とコストが増大する。そこで、物理アドレス１０１ａとは別に論理アドレス１０５ａを各空調機器５０に設定し、少なくともプリント基板５１ｐ、５２ｐが交換されていない空調機器５０と論理アドレス１０５ａとの対応関係が変わらないように構成されている。このように論理アドレス１０５ａにより各空調機器５０を識別し、管理することにより、管理の手間とコストを軽減している。
【００４３】
論理アドレス１０５ａとして用いられるアドレスには、実アドレス１０３ａと仮アドレス１０４ａとがある。実アドレス１０３ａは、実機を目視しながらリモコン４３を操作することによってのみ各空調機器５０に設定可能なように構成されている。これに対して、仮アドレス１０４ａは、リモコン４３を操作しなくてもローカルコントローラ１０ａを介して任意に設定できるように構成されている。仮アドレス１０４ａは、事情により空調機器５０が設置されている場所にアクセスできず、したがってリモコン４３により実アドレス１０３ａを設定できない場合に、代わりに仮のアドレスとして設定されるアドレスである。これにより、諸事情により導入作業時に空調機器設置場所に立ち入れず、リモコン４３により実アドレス１０３ａを設定することができなかった場合でも、仮アドレス１０４ａを用いることにより各空調機器５０を管理できる。したがって、サービスマンの再出張等、導入作業の手間とコストとが軽減される。
【００４４】
（２）詳細構成
（２−１）空調機器の構成
本実施形態においては、複数の空調機器５０は、室外機５１及び室内機５２を含む。図３は、複数の空調機器５０のうち、室外機５１及び室内機５２について、その構成をさらに詳しく表したブロック図である。以下、図３を参照しつつ、複数の空調機器５０のうち室外機５１及び室内機５２の構成について説明する。
【００４５】
室外機５１は、図示しない圧縮機、熱交換器、膨張機構、及びファン、等を有し、物件１ａの屋外に設置されている。室内機５２は、図示しないファン及び熱交換器、等を有し、物件１ａ内の各居室内に設置されている。室外機５１及び室内機５２は、図示しない冷媒配管により接続されており、冷媒回路を構成している。また、室外機５１及び室内機５２には、図示しない各種センサが取り付けられている。例えば、室内機５２には、設置されている部屋の温度を検出する室温センサが、取り付けられている。室外機５１には、外気の温度を検出する外気温センサや圧縮機の吐出管における冷媒の温度である吐出温度を検出する吐出温センサ、圧縮機の吐出管における冷媒の圧力である吐出圧を検出する吐出圧センサ、圧縮機の吸入管における冷媒の圧力である吸入圧を検出する吸入圧センサ、等が取り付けられている。
【００４６】
また、室外機５１及び室内機５２は、それぞれプリント基板５１ｐ、５２ｐを有している。プリント基板５１ｐ、５２ｐは、電気回路をプリントした基板であり、それぞれ通信部５１ａ、５２ａと、制御部５１ｂ、５２ｂと、記憶部５１ｃ、５２ｃとを有する。
【００４７】
通信部５１ａ、５２ａは、空調機器専用通信線６に対するインタフェースであり、制御部５１ｂ、５２ｂの命令に従って空調機器専用通信線６に信号を送信したり、空調機器専用通信線６から信号を受信し、その旨を表す信号を制御部５１ｂ、５２ｂに送る。
【００４８】
制御部５１ｂ、５２ｂは、ローカルコントローラ１０ａを介して物件１ａの管理者から入力された制御命令や、リモコン４３を介して居室内の一般の利用者から入力された制御命令に従って、室外機５１及び室内機５２の動作を制御する、すなわち、冷媒回路に含まれる圧縮機等の各部の動作を制御する。
【００４９】
また、制御部５１ｂ、５２ｂは、室外機５１或いは室内機５２に関するデータを通信部５１ａ、５２ａを介してローカルコントローラ１０ａに送信する。例えば、制御部５１ｂ、５２ｂは、所定の間隔（本実施形態では１分）で各種センサにおいて検出された値を運転情報としてローカルコントローラ１０ａに向けて送信する。また、制御部５１ｂ、５２ｂは、機番や、プリント基板５１ｐ、５２ｐのシリアル番号１０２ａ、製品機種コード、後述する物理アドレス１０１ａ及び実アドレス１０３ａ、等を通信部５１ａ、５２ａを介してローカルコントローラ１０ａに送信する。また、制御部５１ｂ、５２ｂは、リモコン４３を介して制御命令が入力されると、直ちに当該入力された制御命令を通信部５１ａ、５２ａを介してローカルコントローラ１０ａに向けて送信する。
【００５０】
記憶部５１ｃ、５２ｃは、例えば、ＥＥＰＲＯＭであり、各プリント基板５１ｐ、５２ｐ固有のシリアル番号１０２ａ、製品機種コード、機番、物理アドレス１０１ａ及び実アドレス１０３ａ、等を記憶する。
【００５１】
（２−２）ローカルコントローラの構成
図４は、ローカルコントローラ１０ａの構成を示すブロック図である。以下、ローカルコントローラ１０ａの構成について説明する。他のローカルコントローラ１０ｂ、・・・も同様の構成である。
【００５２】
ローカルコントローラ１０ａは、物件１ａ内の例えば、管理室に設置されており、同じく物件１ａに設置されている上述の室外機５１及び室内機５２を含む複数の空調機器５０を管理している。具体的には、ローカルコントローラ１０ａは、空調機器５０における異常を検出したり、空調機器５０の運転スケジュールの入力を受け付けたり、当該運転スケジュールに従って空調機器５０の運転を制御したりしている。また、ローカルコントローラ１０ａは、インターネット等の広域の通信ネットワーク４に接続されており、通信ネットワーク４を介して遠隔管理センター２内の遠隔コントローラ２０に接続されている。また、ローカルコントローラ１０ａは、ＬＡＮ等の物件１ａ内のローカルな通信ネットワーク５にも接続されている。
【００５３】
図４に示すように、ローカルコントローラ１０ａは、主として、ネットワーク側通信部１１ａ、空調側通信部１１ｂ、制御部１２、記憶部１３、出力部１４および入力部１５を有する。
【００５４】
ネットワーク側通信部１１ａは、イーサネット（登録商標）等を用いた通信ネットワークに対するインタフェースであり、ローカルコントローラ１０ａをインターネットやＬＡＮ等の通信ネットワークに接続することを可能にしている。
【００５５】
空調側通信部１１ｂは、空調機器専用通信線６に対するインタフェースであり、ローカルコントローラ１０ａの空調機器専用通信線６への接続を可能にしている。
【００５６】
（２−２−１）制御部
制御部１２は、主にCPUからなり、ローカルコントローラ１０ａ用の制御プログラムを実行することにより、情報収集部１２ａ、識別情報構築部１２ｂ、対応付部１２ｃ、情報送信部１２ｄ、異常検出部１２ｅ、物理アドレス設定部１２ｆ、及び仮アドレス設定受付部１２ｇを有する。
【００５７】
（ａ）情報収集部
情報収集部１２ａは、各空調機器５０から所定の間隔（本実施形態では１分）で送信されてくる運転情報１３ｂを収集する。具体的には、情報収集部１２ａは、各空調機器５０から送信されてくる運転情報１３ｂを空調側通信部１１ｂが受信し、その旨を知らせる信号を空調側通信部１１ｂから受け取ると、当該運転情報１３ｂを記憶部１３に蓄積して記憶させる。
【００５８】
（ｂ）識別情報構築部
識別情報構築部１２ｂは、各空調機器５０の識別情報１３ａを構築する。識別情報１３ａとは、図５に示すような情報であり、各空調機器５０を個別に識別するのに資する情報である。識別情報構築部１２ｂは、先ず、記憶部１３に現存する識別情報１３ａを旧識別情報として記憶部１３に記憶させる。次に、識別情報構築部１２ｂは、空調側通信部１１ｂを介して各空調機器５０に対して識別するのに資する各種情報を送信するように命令を送信する。当該命令を受信した各空調機器５０は、ローカルコントローラ１０ａに、機番や、プリント基板５１ｐ、５２ｐのシリアル番号１０２ａ、製品機種コード、物理アドレス１０１ａ及び実アドレス１０３ａ、等を送信する。空調側通信部１１ｂを介して当該情報を受信すると、識別情報構築部１２ｂは、当該情報を識別情報１３ａとして記憶部１３に記憶させる。
【００５９】
また、旧識別情報が存在する場合は、識別情報構築部１２ｂは、旧識別情報と識別情報１３ａとをプリント基板５１ｐ、５２ｐのシリアル番号１０２ａにより照合し、旧識別情報において空調機器５０に設定されていた仮アドレス１０４ａを、同じ空調機器５０に係る識別情報１３ａの仮アドレス部１０４に格納する。
【００６０】
（ｃ）対応付部
対応付部１２ｃは、運転情報１３ｂを論理アドレス１０５ａと対応付ける。具体的には、対応付部１２ｃは、運転情報１３ｂを基に後述する日報データ１３ｃを作成し、その際に運転情報１３ｂに付加されている空調機器５０の物理アドレス１０１ａで識別情報１３ａを検索し、当該物理アドレス１０１ａを有する空調機器５０の実アドレス１０３ａ又は仮アドレス１０４ａを特定する。対応付部１２ｂは、実アドレス１０３ａが設定されている場合は、実アドレス１０３ａを、実アドレス１０３ａが設定されていない場合は、仮アドレス１０４ａを、論理アドレス１０５ａとして用いる。なお、実アドレス１０３ａは、０又はｎｕｌｌ値により初期化されており、実アドレス１０３ａの値が初期値のままであれば、実アドレス１０３ａは設定されていないとみなされる。対応付部１２ｂは、各空調機器５０に関する日報データ１３ｃに各空調機器５０の論理アドレス１０５ａを付加する。
【００６１】
（ｄ）運転情報送信部
運転情報送信部１２ｄは、運転情報１３ｂを日報としてまとめた日報データ１３ｃを定期的に（例えば、１日１回）、ネットワーク側通信部１１ａを介して遠隔コントローラ２０に送信する。
【００６２】
（ｅ）異常検出部
異常検出部１２ｅは、所定の間隔（本実施形態では１分）で記憶部１３に記憶されている運転情報１３ｂに基づいて、各空調機器５０における異常の有無を判断する。なお、異常を検出した異常検出部１２ｅは、異常発報データを作成し、ネットワーク側通信部１１ａに異常発報データを遠隔コントローラ２０に向けて直ちに送信させる。なお、異常検出部１２ｅが検出する異常の種別としては、「異常」および「予知」の２種類が存在している。ここで、「異常」に分類される異常とは、機器が故障している状態をいい、「予知」に分類される異常とは、未だ故障には至らないものの、近々故障することが予知される状態をいう。
【００６３】
（ｆ）物理アドレス設定部
物理アドレス設定部１２ｆは、各空調機器５０に対してプリント基板５１ｐ、５２ｐのシリアル番号１０２ａに基づいて物理アドレス１０１ａを設定する。具体的には、例えば、物理アドレス設定部１２ｆは、シリアル番号１０２ａの昇順に連続した番号を物理アドレス１０１ａとして各空調機器５０に設定する。物理アドレス設定部１２ｆは、各空調機器５０に対して設定した物理アドレス１０１ａを各空調機器５０に空調側通信部１１ｂを介して送信し、各空調機器５０のプリント基板５１ｐ、５２ｐの記憶部５１ｃ、５２ｃに記憶させる。物理アドレス設定部１２ｆによる物理アドレス１０１ａの設定処理は、空調システム４０ａが起動される毎に行われる。したがって、空調機器５０のプリント基板５１ｐ、５２ｐが１つでも交換されると、シリアル番号１０２ａの順番が変わり、全ての空調機器５０の物理アドレス１０１ａが変わる可能性がある。
【００６４】
（ｇ）仮アドレス設定受付部
仮アドレス設定受付部１２ｇは、仮アドレス１０４ａの設定を受け付ける。具体的には、例えば、仮アドレス設定受付部１２ｇは、入力部１４を介して入力された仮アドレス１０４ａを入力により指定された空調機器５０に設定する。設定された仮アドレス１０４ａは、設定対象である空調機器５０に係る識別情報１３ａの仮アドレス部１０４（図５参照）に格納される。また、仮アドレス設定受付部１２ｇは、後述する試運転作業用端末３０から特定の空調機器５０に対する仮アドレス１０４ａの設定をネットワーク側通信部１１ａを介して受信すると、当該仮アドレス１０４ａを当該空調機器５０に係る識別情報１３ａの仮アドレス部１０４に格納させる。
【００６５】
（２−２−２）記憶部
記憶部１３には、識別情報１３ａ、運転情報１３ｂ、日報データ１３ｃ、及びローカルコントローラ１０ａを識別するためのＬＣ識別番号１３ｄが記憶されている。
【００６６】
（ａ）識別情報
図５は、識別情報１３ａの一例を示している。識別情報１３ａは、図５に示されているように、主に、物理アドレス部１０１と、シリアル番号部１０２と、実アドレス部１０３と、仮アドレス部１０４とを有する。
【００６７】
物理アドレス部１０１は、物理アドレス１０１ａを格納する。
【００６８】
シリアル番号部１０２は、プリント基板５１ｐ、５２ｐのシリアル番号１０２ａを格納する。
【００６９】
実アドレス部１０３は、リモコン４３から設定される実アドレス１０３ａを格納する。
【００７０】
仮アドレス部１０４は、リモコン４３を介さずに任意に設定可能な仮アドレス１０４ａを格納する。
【００７１】
物理アドレス１０１ａは、プリント基板５１ｐ、５２ｐのシリアル番号１０２ａに基づいて設定される。プリント基板５１ｐ、５２ｐのシリアル番号１０２ａは、各プリント基板５１ｐ、５２ｐに固有の番号であるが、これが、例えば、３ケタの番号からなるアドレスに変換される。
【００７２】
実アドレス１０３ａは、リモコン４３から設定されるアドレスである。サービスマンは、リモコン４３を操作して実アドレス１０３ａを入力し、空調機器５０に送信すると、当該空調機器５０のプリント基板５１ｐ、５２ｐの通信部５１ａ、５２ａが受信し、制御部５１ｂ、５２ｂが受信した実アドレス１０３ａを記憶部５１ｃ、５２ｃに記憶させる。実アドレス１０３ａは、例えば、３ケタの番号からなるアドレスである。
【００７３】
仮アドレス１０４ａは、リモコンを介さずに任意に設定可能なアドレスである。仮アドレス１０４ａは、実アドレス１０３ａと同じ形態のアドレスとなっている。例えば、実アドレス１０３ａが３ケタの番号からなるアドレスであれば、仮アドレス１０４ａも３ケタの番号からなり、かつ、実アドレス１０３ａとは重複しないアドレスとなっている。また、実アドレス１０３ａと同じ形態ということは、同じデータ形式であることを意味し、例えば、実アドレス１０３ａが３バイトのデータであれば、仮アドレス１０４ａも３バイトのデータである。したがって、実アドレス１０３ａ及び仮アドレス１０４ａのいずれを論理アドレス１０５ａとして用いる場合でも同じプログラムを用いることができる。
【００７４】
このほか、識別情報１３ａは、図示しないが、空調機器５０の機番を格納する機番部及び空調機器５０の製品機種コードを格納する製品機種コード部、等を有している。
【００７５】
（ｂ）運転情報
また、記憶部１３には、情報収集部１２ａにより収集される空調機器５０の運転情報１３ｂが蓄積して記憶される。なお、記憶部１３は、運転情報１３ｂを所定の期間（本実施形態では３０分）分記憶可能なように構成されており、所定の期間分を超えると、新しい運転情報１３ａが取得されるたびに、順次、最も古い運転情報が消去されてゆくようになっている。
【００７６】
（ｃ）日報データ
また、記憶部１３には、ローカルコントローラ１０ａから遠隔コントローラ２０に向けて１日１回送信される日報データ１３ｃの元データが記憶されている。日報データ１３ｃとは、１日分の各空調機器５０の運転履歴や運転状態をまとめたデータであり、その１日に各種センサにおいて検出された値の最大値・最小値や、その１日の空調機器５０の累積稼働時間などを含む。記憶部１３に記憶されている日報データ１３ｃの元データとは、最終的に遠隔コントローラ２０に向けて送信されることになる日報データ１３ｃが完成する前の加工途中のデータである。日報データ１３ｃは、所定の間隔（本実施形態では３０分）で運転情報１３ｂに基づいて加工されてゆき、１日１回、所定の時間にネットワーク側通信部１１ａを介して遠隔コントローラ２０に向けて送信されることになる。そして、日報データ１３ｃの遠隔コントローラ２０への送信が完了すると、送信済みの日報データ１３ｃは記憶部１３から消去される。
【００７７】
（２−２−３）入力部／出力部
出力部１４および入力部１５は、タッチパネル機能およびスピーカ機能付きディスプレイとして一体的に構成されている。当該ディスプレイ上には、空調機器５０に対する制御命令の入力を受け付けるボタン等が並ぶ入力画面が表示され、当該ボタンに管理者が触れると、そのボタンに対応する処理がローカルコントローラ１０ａ内で実行されることになる。例えば、当該ディスプレイ上のボタンを操作することにより管理者により空調機器５０の電源をオンすることが選択された場合には、空調側通信部１１ｂを介して空調機器５０の制御部５１ｂ、５２ｂに空調機器５０の電源をオンすることを指令する制御命令が送信されることになる。
【００７８】
（２−３）遠隔コントローラの構成
遠隔コントローラ２０は、遠隔管理センター２内に設置されており、インターネット等の通信ネットワーク４を介して物件１ａ，１ｂ，・・・内のローカルコントローラ１０ａ，１０ｂ，・・・に接続されている。
【００７９】
図５に示すように、遠隔コントローラ２０は、主として、通信部２１、制御部２２、及び記憶部２３を有している。なお、遠隔コントローラ２０は、実際には複数台のサーバ・コンピュータからなるコンピュータ群であり、これらのコンピュータが協働することにより全体として遠隔コントローラ２０を構成している。
【００８０】
通信部２１は、イーサネット（登録商標）等を用いた通信ネットワークに対するインタフェースであり、遠隔コントローラ２０の通信ネットワーク４への接続を可能にしている。
【００８１】
制御部２２は、主にCPUからなり、遠隔コントローラ用の制御プログラムを実行することにより、遠隔管理部２２ａと、情報受信部２２ｂとを有する。
【００８２】
情報受信部２２ｂは、ローカルコントローラ１０ａ，１０ｂ，・・・から送られてきた論理アドレス１０５ａ等、空調機器５０に関する情報や、異常発報データおよび運転情報１３ｂを日報としてまとめた日報データ１３ｃを通信部２１を介して受信し、記憶部２３に記憶させる。
【００８３】
遠隔管理部２２ａは、異常発報データおよび日報データ１３ｃに基づいて各地の空調機器５０を論理アドレス１０５ａを用いて管理している。例えば、空調機器５０における異常を検出した場合には、その空調機器５０を論理アドレス１０５ａにより特定し、当該空調機器５０にサービスマンを派遣するための処理、例えば、サービスマンへのｅメールによる通報を行う。機種名や設置場所、等、問題の空調機器５０に関する詳細情報は、論理アドレス１０５ａにより空調機器情報２３ａを検索することにより得られ、サービスマンに知らされる。
【００８４】
記憶部２３は、RAM及びハードディスク、等の記憶装置からなっており、空調機器情報２３ａ及び日報データ１３ｃを記憶している。空調機器情報２３ａは、論理アドレス１０５ａやＬＣ識別番号１３ｄ、機番、機種コード、機種名、設置場所（室内機５２の場合）、冷媒系統名（室外機５１の場合）、等、各空調機器５０に関する情報であり、ローカルコントローラ１０ａ、１０ｂ、・・・から送信されてきた情報を記憶したものである。
【００８５】
（２−４）試運転作業用端末
試運転作業用端末３０は、試運転作業で用いるＰＣ等の端末であり、試運転ツールと呼ばれるプログラムが実行される。試運転作業用端末３０は、通信部３１、制御部３２、記憶部３３、出力部３４、及び入力部３５を有する。
【００８６】
通信部３１は、イーサネット（登録商標）等を用いた通信ネットワーク５に対するインタフェースである。
【００８７】
記憶部３３は、ＲＡＭやハードディスク等からなり、試運転ツールプログラム（図示せず）等を記憶している。
【００８８】
出力部３４は、ＬＣＤ等のディスプレイである。
【００８９】
入力部３５は、キーボードやマウス等である。
【００９０】
制御部３２は、主にＣＰＵからなる。試運転ツールプログラムを実行すると、制御部３２は、仮アドレス設定受付部３２ａ及び仮アドレス設定部３２ｂを有するようになる。
【００９１】
仮アドレス設定受付部３２ａは、仮アドレス１０４ａの設定を受け付ける。具体的には、例えば、特定の空調機器５０に対して入力部３５を介して入力された仮アドレス１０４ａを一時的に記憶部３３に記憶させ、当該仮アドレス１０４ａを通信部３１を介してローカルコントローラ１０ａに送信する。
【００９２】
仮アドレス設定部３２ｂは、物理アドレス１０１ａに基づいて空調機器５０に仮アドレス１０４ａを自動的に設定する。例えば、冷媒系統ごとに物理アドレス１０１ａの昇順に連続した番号を仮アドレス１０４ａとして実アドレス１０３ａが設定されていない空調機器５０に設定する。
【００９３】
（３）動作
（３−１）試運転作業（試運転ツール使用）
次に図８のフローチャートを用いて空調管理システム１００の試運転作業について説明する。
【００９４】
試運転作業では、まず必要な装置の設置や配線工事を行う（ステップＳ１０１）。例えば、空調機器５０が未だ導入されていない物件である場合は、空調機器５０やローカルコントローラ１０ａ等の装置の設置やローカルコントローラ１０ａのインターネット等の通信ネットワーク４への接続や、空調機器５０とローカルコントローラ１０ａとの間の空調機器専用通信線６の配線、等を行う。既に空調機器５０とローカルコントローラ１０ａとが導入されている場合は、ローカルコントローラ１０ａのインターネット等の通信ネットワーク４への接続のための設定や配線工事、等を行う。ローカルコントローラ１０ａの制御プログラムの更新等も行う。
【００９５】
次に、サービスマンは、各空調機器５０に実アドレス１０３ａを設定する（ステップＳ１０２）。サービスマンは、空調機器５０が設置されている各居室に入り、リモコン４３を操作して実アドレス１０３ａを入力し、空調機器５０に向けて送信する。例えば、室内機５２に対してリモコン４３より実アドレス１０３ａを入力し、送信すると、室内機５２のプリント基板５２ｐの記憶部５２ｃに送信された実アドレス１０３ａが記憶される。このように、リモコン４３を用いて実機を目で確認しながら実アドレス１０３ａを設定することで、特定の居室内に設置された室内機５２と実アドレス１０３ａとを対応づけることができる。例えば、「実アドレスが１番のエアコンは、１階の１号会議室のエアコン」と言った室内機５２と実アドレス１０３ａとの対応関係は、試運転ツールから入力され、ローカルコントローラ１０ａの記憶部１３にある識別情報１３ａに記憶される。なお、全ての空調機器５０に実アドレス１０３ａを付与することが望ましいが、何らかの事情により空調機器５０が設置されている場所に立ち入れない場合は、当該空調機器５０には、実アドレス１０３ａを設定することができない。
【００９６】
次に、サービスマンは、全ての空調機器５０に実アドレス１０３ａが設定されているかをチェックし、実アドレス１０３ａが設定されていない空調機器５０がある場合は、当該空調機器５０に仮アドレス１０４ａの設定を行う（ステップＳ１０３）。具体的には、現場に持ち込んだ試運転作業用端末３０をＬＡＮ等の通信ネットワーク５を介してローカルコントローラ１０ａに接続し、試運転作業用端末３０において試運転ツールを起動し、試運転ツールにより仮アドレス１０４ａを設定する。この作業については、後で更に詳しく説明する。
【００９７】
全ての空調機器５０に、実アドレス１０３ａ或いは仮アドレス１０４ａが設定されたら、次に、サービスマンは、空調管理システム１００の試運転を行う（ステップＳ１０４）。試運転では、ローカルコントローラ１０ａのＬＣ識別番号、各空調機器５０の論理アドレス１０５ａ、製品機種コード、機種名、機番、系統名（室外機５１の場合）、及び設置場所（室内機５２の場合）、等の情報が、ローカルコントローラ１０ａの情報送信部１２ｄにより遠隔コントローラ２０へ送信される。論理アドレス１０５ａは、識別情報１３ａの実アドレス部１０３に実アドレス１０３ａが格納されている場合は、実アドレス１０３ａである。格納されている実アドレス１０３ａの値が初期値である０又はｎｕｌｌ値である場合は、実アドレス１０３ａが格納されていないとみなされる。実アドレス１０３ａが格納されていない場合は、識別情報１３ａの仮アドレス部１０４に格納されている仮アドレス１０４ａである。これらの情報を受信したコントローラ２０では、当該情報を空調機器情報２３ａとして記憶部２３に記憶される。
【００９８】
（３−１−１）仮アドレスの設定
図９は、上記ステップＳ１０３に係る作業をさらに詳細に示したフローチャートである。
【００９９】
まず、ステップＳ１１１では、識別情報構築部１２ｂが識別情報１３ａを構築する。サービスマンが試運転ツールの画面上の「チェック開始」ボタン（図１３参照）を押すと、識別情報構築命令がローカルコントローラ１０ａへ送信される。当該命令がローカルコントローラ１０ａのネットワーク側通信部１１ａにより受信されると、識別情報構築部１２ｂは、現存する識別情報１３ａを旧識別情報として記憶部に記憶させる。次に、識別情報構築部１２ｂは、プリント基板５１ｐ、５２ｐのシリアル番号１０２ａ、物理アドレス１０１ａ、実アドレス１０３ａ、機番等の情報を送信するように命令を各空調機器５０に送信する。当該命令を受信した各空調機器５０は、これらの情報をローカルコントローラ１０ａへ送信する。空調側通信部１１ｂを介して情報を受信すると識別情報構築部１２ｂは、当該情報を識別情報１３ａとして記憶部１３に記憶させる。また、旧識別情報が存在する場合は、識別情報構築部１２ｂは、旧識別情報と識別情報１３ａとをプリント基板５１ｐ、５２ｐのシリアル番号１０２ａにより照合し、旧識別情報において空調機器５０に設定されていた仮アドレス１０４ａを、同じ空調機器５０に係る識別情報１３ａの仮アドレス部１０４に格納する。識別情報１３ａの内容は、試運転作業用端末３０へ送信され、試運転ツールの画面上に表示される。
【０１００】
次に、ステップＳ１１２では、サービスマンが、試運転ツールの画面上に表示された識別情報１３ａの内容を参照し、実アドレス１０３ａ及び仮アドレス１０４ａのいずれもが設定されていない空調機器５０が有るか否かをチェックする。実アドレス１０３ａ及び仮アドレス１０４ａのいずれもが設定されていない空調機器５０が存在する場合、ステップＳ１１３へ進む。存在しない場合は、ステップＳ１１４へ進む。
【０１０１】
次に、ステップＳ１１３では、サービスマンが、実アドレス１０３ａ及び仮アドレス１０４ａのいずれもが設定されていない空調機器５０について、仮アドレス１０４ａを設定する。サービスマンが、画面上の「Ａ／Ｎアドレス設定」ボタンＢ２（図１０参照）を押すと、図１１に示すような画面が表示される。ここでサービスマンは、仮アドレス１０４ａを一括で自動設定するか、個別に設定するかを選択することができる。サービスマンが、「一括自動割当て」ボタンＢ３（図１１参照）を押すと、仮アドレス設定部３２ｂは、実アドレス１０３ａ及び仮アドレス１０４ａが設定されていない空調機器５０全てに対してそれぞれの物理アドレス１０１ａに基づいて自動的に仮アドレス１０４ａを割り当てる。例えば、冷媒系統ごとに物理アドレス１０１ａの昇順に空いている番号を仮アドレス１０４ａとして割り当てる。空いている番号とは、実アドレス１０３ａ又は仮アドレス１０４ａとして未だどの空調機器５０にも割り当てられていない番号である。他方、サービスマンが、個別の空調機器５０を画面上にてマウスでクリックすることにより選択すると、「室外機個別割当て」ボタンＢ４及び「室内機個別割当て」ボタンＢ５が有効化される。サービスマンが、「室外機個別割当て」ボタンＢ４或いは「室内機個別割当て」ボタンＢ５を押すと、図１２に示すような画面が表示される。サービスマンは、当該画面上のプルダウンリストＬ１から空いている番号を選択することにより仮アドレス１０４ａを当該空調機器５０に割り当てる。仮アドレス１０４ａを割り当てたら図１１の画面に戻り、「ＯＫ」ボタンＢ６をサービスマンが押すと、割り当てられた仮アドレス１０４ａは、ローカルコントローラ１０ａへ送信され、ローカルコントローラ１０ａの仮アドレス設定受付部１２ｇは、受信した仮アドレス１０４ａを仮アドレス設定対象である空調機器５０に係る識別情報１３ａの仮アドレス部１０４に格納させる。
【０１０２】
上述の一連の作業における識別情報１３ａの変遷を例示すると図１３のようになる。ここでは、物理アドレス１０１ａが０２の空調機器５０に実アドレス１０３ａ及び仮アドレス１０４ａのいずれもが設定されていなかったところ、００２が仮アドレス１０４ａとして設定されている。
【０１０３】
（３−２）監視時
次に、空調管理システム１００の本番運用中の動作を説明する。
【０１０４】
各空調機器５０から所定の間隔（本実施形態では１分）で送信されてくる運転情報１３ｂが情報収集部１２ａにより収集される。収集された運転情報１３ｂは、記憶部１３に蓄積して記憶される。
【０１０５】
日報データ１３ｃが、所定の間隔（本実施形態では３０分）で運転情報１３ａに基づいて加工される。この時、対応付部１２ｃは、論理アドレス１０５ａにより運転情報１３ｂと各空調機５０とを対応付ける。日報データ１３ｃは、１日１回、所定の時間にネットワーク側通信部１１ａを介して遠隔コントローラ２０に向けて送信される。
【０１０６】
また、異常検出部１２ｅが異常を検出した場合は、異常発報データが作成され、遠隔コントローラ２０に向けて異常発報データが直ちに送信される。
【０１０７】
遠隔コントローラ２０の遠隔管理部２２ａは、記憶部２３に記憶されている日報データ１３ｃを参照し、異常や故障の有無などを調べる。遠隔コントローラ２０の遠隔管理部２２ａは、異常や故障を検知した場合や、異常発報データが受信された場合には、論理アドレス１０５ａを用いて空調機器情報２３ａを検索し、問題の空調機器５０を特定し、サービスマンにｅメールなどにより通報する。つまり、遠隔管理部２２ａは、論理アドレス１０５ａを用いて各空調機器５０を管理する。
【０１０８】
（３−３）プリント基板交換、室内機削除
次に、図１４のフローチャートを用いて、空調機器５０のプリント基板５１ｐ、５２ｐが交換された場合や、室内機５２が削除された場合の作業を説明する。
【０１０９】
空調機器５０のプリント基板５１ｐ、５２ｐが交換された場合は、まず、実アドレス１０３ａの設定を試みた後、図１４のフローチャートに示されている作業を行う。室内機５２が削除された場合は、図１４のフローチャートに示されている作業を行う。
【０１１０】
まず、識別情報を構築する（ステップＳ１１１）。
【０１１１】
次に、実アドレス１０３ａ及び仮アドレス１０４ａのいずれもが設定されていない空調機器５０が存在するか否かをチェックする（ステップＳ１１２）。
【０１１２】
実アドレス１０３ａ及び仮アドレス１０４ａのいずれもが設定されていない空調機器５０が存在する場合、次のステップＳ２１３に進む。存在しない場合は、作業は終了である。プリント基板５１ｐ、５２ｐが交換された空調機器５０に対して実アドレス１０３ａを設定した場合は、実アドレス１０３ａ及び仮アドレス１０４ａのいずれもが設定されていない空調機器５０は存在しないはずであり、作業はこれで終了である。また、室内機５２が削除された場合は、図１７に例示するように実アドレス１０３ａ及び仮アドレス１０４ａのいずれもが設定されていない空調機器５０は存在しないはずであり、作業はこれで終了である。
【０１１３】
ステップＳ２１３では、サービスマンが、実アドレス１０３ａ及び仮アドレス１０４ａのいずれもが設定されていない空調機器５０について、仮アドレス１０４ａを設定する。サービスマンが、試運転ツールの画面上の「Ａ／Ｎアドレス設定」ボタンＢ２（図１０参照）を押すと、図１１に示すような画面が表示される。ここでサービスマンは、個別の空調機器５０を画面上にてマウスでクリックすることにより選択すると、「室外機個別割当て」ボタンＢ４及び「室内機個別割当て」ボタンＢ５が有効化される。サービスマンが、「室外機個別割当て」ボタンＢ４或いは「室内機個別割当て」ボタンＢ５を押すと、図１２に示すような画面が表示される。当該画面上のプルダウンリストＬ１には、仮アドレス１０４ａの候補が表示される。仮アドレス１０４ａの候補は、制御部３２が旧識別情報及び新たに構築された識別情報１３ａを参照し、旧識別情報から識別情報１３ａに無いシリアル番号１０２ａを有する空調機器５０を検索した結果、ヒットした空調機器５０の実アドレス１０３ａ又は仮アドレス１０４ａである。複数の空調機器５０がヒットした場合は、複数の仮アドレス１０４ａの候補が表示される。サービスマンは、表示されている仮アドレス１０４ａのうちから１つを選択し、仮アドレス設定対象の空調機器５０に仮アドレス１０４ａを割り当てる。割り当てたら図１１の画面に戻り、「ＯＫ」ボタンＢ６をサービスマンが押すと、割り当てられた仮アドレス１０４ａは、ローカルコントローラ１０ａへ送信され、ローカルコントローラ１０ａの仮アドレス設定受付部１２ｇは、受信した仮アドレス１０４ａを仮アドレス設定対象である空調機器５０に係る識別情報１３ａの仮アドレス部１０４に格納させる。
【０１１４】
空調機器５０のプリント基板５１ｐ、５２ｐが交換された場合の上述の一連の作業における識別情報１３ａの変遷を例示すると、図１５のようになる。ここでは、上から２番目の空調機器５０のプリント基板５１ｐ、５２ｐが交換され、シリアル番号１０２ａが変わり、その結果、物理アドレス１０１ａが自動的に設定され、異なる物理アドレス１０１ａが設定されている。そのため、当該空調機器５０に設定されていた仮アドレス１０４ａが設定されていない。そこで、サービスマンが試運転ツールを用いて当該空調機器５０に同じ仮アドレス１０４ａを設定した。これにより、プリント基板５１ｐ、５２ｐが交換されても、交換前と同じ空調機器５０であると、ローカルコントローラ１０ａ及び遠隔コントローラ２０に認識される。
【０１１５】
（３−４）室内機追加
次に、室内機５２が追加された場合の作業を図９及び図１６を用いて簡単に説明しておく。
【０１１６】
室内機５２が追加された場合は、追加された室内機５２に対する実アドレス１０３ａの設定を試みた後、図９のフローチャートに示されている作業と同じ作業を行う。実アドレス１０３ａを設定することができず、代わりに仮アドレス１０４ａが設定された場合、識別情報１３ａは、図１６に例示されているようになる。
【０１１７】
（４）特徴
（４−１）
上記実施形態では、室外気５１の圧縮機等の制御や、室内機５２のファン等の制御、等、空調機器５０の制御に用いられる物理アドレス１０１ａとは別に、論理アドレス１０５ａを用いて各空調機器５０を管理している。そして、リモコン４３を介して設定される実アドレス１０３ａが論理アドレス１０５ａとして用いられ、実アドレス１０３ａが設定されていない場合は、リモコン４３を介さずに任意に設定可能な仮アドレス１０４ａが論理アドレス１０５ａとして用いられている。これにより、諸事情により導入作業時に空調機器設置場所に立ち入れず、リモコン４３により実アドレス１０３ａを設定することができなかった場合でも、仮アドレス１０４ａを用いることにより各空調機器５０を管理できている。したがって、サービスマンの再出張等、導入作業の手間とコストが軽減されている。
【０１１８】
（４−２）
上記実施形態では、遠隔管理部２２ａは、論理アドレス１０５ａを用いて各空調機器５０を管理している。
【０１１９】
これにより、空調機器設置場所に立ち入れず、実アドレス１０３ａを振ることができなくても空調機器５０の遠隔管理が可能となっている。
【０１２０】
（４−３）
上記実施形態では、物理アドレス１０１ａは、プリント基板５１ｐ、５２ｐのシリアル番号１０２ａに基づいて物理アドレス設定部１２ｆにより自動的に設定されている。このため、室外機５１と室内機５２との間での通信に用いられる物理アドレス１０１ａについては、その設定作業が不要となっている。
【０１２１】
（４−４）
上記実施形態では、実アドレス１０３ａ及び仮アドレス１０４ａは、同じ形態のデータである。これにより、実アドレス１０３ａ及び仮アドレス１０４ａのどちらを論理アドレス１０５ａとして用いるかによって、プログラムを変更する必要がない。
【０１２２】
（４−５）
上記実施形態では、実アドレス１０３ａは、０又はｎｕｌｌ値を初期設定値として有している。そして、対応付部１２ｃは、実アドレス１０３ａの値が０又はｎｕｌｌ値であれば、実アドレス１０３ａは未設定であると見なしている。これにより、実アドレス１０３ａの設定／未設定が容易に識別可能となっている。
【０１２３】
（４−６）
上記実施形態では、１つでもプリント基板５１ｐ、５２ｐが交換されると、物理アドレス設定部１２ｆにより全ての空調機器５０の物理アドレス１０１ａが自動的に更新される。この後、識別情報構築部１２ｂにより識別情報１３ａが構築されると、プリント基板５１ｐ、５２ｐが交換されていない空調機器５０については、物理アドレス部１０１の物理アドレス１０１ａのみが更新され、実アドレス１０３ａ及び仮アドレス１０４ａ（論理アドレス１０５ａ）は変更されない。また、プリント基板５１ｐ、５２ｐが交換された空調機器５０についても、サービスマンにより交換前に設定されていた実アドレス１０３ａ又は仮アドレス１０４ａが設定される。これにより、論理アドレス１０５ａと空調機器５０との対応関係は変わらず、管理の手間とコストとが軽減されている。
【０１２４】
（４−７）
上記実施形態では、空調機器５０の設置場所に立ち入ることができなくても、ローカルコントローラ１０ａ、１０ｂ、・・・から仮アドレス１０４ａを設定でき、仮アドレス１０４ａを論理アドレス１０５ａとして用いて空調機器５０の管理ができている。したがって、サービスマンの再出張等の無駄なコストが軽減されている。
【０１２５】
（４−８）
上記実施形態では、空調機器５０の設置場所に立ち入ることができなくても、サービスマンは、現場に持ち込んだ試運転作業用端末３０から仮アドレス１０４ａを設定可能となっている。したがって、サービスマンの再出張等の無駄なコストが軽減されている。
【０１２６】
（４−９）
上記実施形態では、試運転作業用端末３０の仮アドレス設定部３２ｂは、実アドレス１０３ａが設定されていない空調機器５０に対して冷媒系統ごとに物理アドレス１０１ａの順で仮アドレス１０４ａを設定している。これにより、仮アドレス１０４ａ設定の手間を軽減することができている。
【０１２７】
（５）変形例
（５−１）変形例１Ａ  
上記実施形態では、サービスマンは、試運転作業用端末３０において試運転ツールを起動し、論理アドレス１０５ａのチェックや、仮アドレス１０４ａの設定を行なっている。しかし、他の実施形態においては、試運転ツールをローカルコントローラ１０ａ、１０ｂ、・・・にて起動し、論理アドレス１０５ａのチェックや、仮アドレス１０４ａの設定を行なってもよい。この場合、ローカルコントローラ１０ａ、１０ｂ、・・・の制御部１２が仮アドレス設定部を有することになる。
【産業上の利用可能性】
【０１２８】
本発明は、複数の空調機器の遠隔管理に利用可能である。
【符号の説明】
【０１２９】
１０ａ，１０ｂ，・・・            ローカルコントローラ
１２ａ                          情報収集部
１２ｃ                          対応付部
１２ｆ                          物理アドレス設定部（アドレス更新部）
１２ｇ                          仮アドレス設定受付部（第１仮アドレス設定受付部）
１３                            記憶部
１３ａ                          識別情報
１３ｂ                          運転情報
２０                            遠隔コントローラ
２２ａ                          遠隔管理部
２２ｂ                          情報受信部
３０                            試運転作業用端末（仮アドレス設定装置）
３２ａ                          仮アドレス設定受付部（第２仮アドレス設定受付部）
３２ｂ                          仮アドレス設定部
４０ａ，４０ｂ，・・・            空調システム
５０                            空調機器
５１                              室外機
５２                              室内機
５１ｐ、５２ｐ                    プリント基板（通信基盤）
１００                            空調管理システム
１０１                            物理アドレス部
１０１ａ                          物理アドレス
１０２ａ                          シリアル番号（通信基板の識別情報）
１０３                            実アドレス部
１０３ａ                          実アドレス
１０４                            仮アドレス部
１０４ａ                          仮アドレス
１０５ａ                          論理アドレス
【先行技術文献】
【特許文献】
【０１３０】
【特許文献１】特開２０００−７４４６１号公報
【要約】
【課題】導入作業の手間とコストを軽減可能な空調管理システム。
【解決手段】それぞれ固有の物理アドレス１０１ａを有する複数の空調機器５０を論理アドレス１０５ａを用いて管理する空調管理システムであり、ローカルコントローラと、リモコン４３とを備える。ローカルコントローラは、各空調機器の識別情報１３ａを記憶する記憶部と、各空調機器５０の運転情報を収集する情報収集部と、運転情報を論理アドレス１０５ａと対応付ける対応付部とを有する。各空調機器５０の識別情報１３ａは、物理アドレス１０１ａを格納する物理アドレス部１０１、実アドレス１０３ａを格納する実アドレス部１０３、及び仮アドレス１０４ａを格納する仮アドレス部１０４を有する。対応付部は、実アドレス１０３ａが設定されている場合は、実アドレス１０３ａを、設定されていない場合は、仮アドレス１０４ａを、論理アドレス１０５ａとして用いる。
【選択図】図５【図１】
0005382169.tif 000002
【図２】
0005382169.tif 000003
【図３】
0005382169.tif 000004
【図４】
0005382169.tif 000005
【図５】
0005382169.tif 000006
【図６】
0005382169.tif 000007
【図７】
0005382169.tif 000008
【図８】
0005382169.tif 000009
【図９】
0005382169.tif 000010
【図１０】
0005382169.tif 000011
【図１１】
0005382169.tif 000012
【図１２】
0005382169.tif 000013
【図１３】
0005382169.tif 000014
【図１４】
0005382169.tif 000015
【図１５】
0005382169.tif 000016
【図１６】
0005382169.tif 000017
【図１７】
0005382169.tif 000018